(57)【要約】      （修正有）【課題】刃先を閉じた状態でも余白が広く残るように広い形にする刃先開放維持具及び被裁断物の案内部となるＬ字型ヒレを付けることによりまっすぐ切れるようにしたハサミを提供する。【解決手段】ハサミの上下の余白部分を広くした刃１は、刃先を閉じたとき、刃の余白が残るように広くする。ハサミの柄の上部には、上部Ｌ字型のヒレ２を設けて、切り分かれた切り口面に沿ってハサミが、その切り口の側面を切り進めるようにする。ハサミの左側に切り分れた被裁断物の切断面は、上部Ｌ字型のヒレ２に沿って通過する。また、右側に切り分れた切断面は、下部Ｌ字型のヒレ３に沿って下方向を通過する。この作業中に、刃先が閉じないように刃先は、１割程度開放を維持するために、開放維持具４を固定ネジ５にて固定し、この状態で切り進めば、まっすぐにスムーズに切り進むことができるようにする。【選択図】図１
0003178637.tif 000002
【実用新案登録請求の範囲】
【請求項１】
ハサミの上下の刃の余白部分（１）は、刃先を閉じたとき、刃の余白が残るように刃を広くする。
【請求項２】
ハサミの柄には、上部Ｌ字型ヒレ（２）と下部Ｌ字型ヒレ（３）を設けることにより、左右に切り分かれた切り口面は、左側に切られた切り口面は、上部Ｌ字型ヒレ（２）に沿って上方向へ送られて、右側に切られた切り口面は、下部Ｌ字型ヒレ（３）に沿って下方向に送られる。
【請求項３】
この作業中に、刃先が閉じないように刃先は、１割程度開放を維持する。
そのためには、刃先開放維持具（４）を設けて、１割程度刃先を開放維持する。
これにより、刃先が閉じることによる切り込み作業の中断はなくなり、切断作業の継続維持ができる。
【考案の詳細な説明】
【技術分野】
【０００１】  この考案は、長い紙や布等を、まっすぐに切りやすく考案されたハサミに関する。
長い紙や布等を、切り込むと、切り口は刃の側面を沿って、左右に分かれるが右側に切られた切断面は、柄の下方向に分けられ、左側に切られた切断面は、柄の上方向に各々分けながら切り進める。
この上下に分ける作用により、ハサミの切り込みが抵抗なく、まっすぐにハサミを進める。
それには、ハサミの柄の上下Ｌ字型のヒレが大きな働きをする。
また、刃先を１割程度開放した状態を保ちながら切ることで、切り込み作業が途切れることなく、円滑に切り進めることができる。
この効果を利用することにより、ハサミで長い物も、まっすぐ、スムーズに切ることができるハサミに関するものである。
【背景技術】
【０００２】  従来のハサミは、長い紙や布等を、最後まで、まっすぐに切り終えることが難しくどうしても、斜めに切れるか、湾曲することが多かった。
その原因として、
（イ）切り口にハサミの刃が、ぴったりと沿って進む広さがなかった
これは、刃の部分に余白がなかったため、ここに切断面が沿うことができないという原因で、曲がって切り込んでしまう現象が発生していた。
（ロ）最初の切り口の先端部分が、指や手に引っかかり、まがってしまう。
（ハ）切り込みの作業中に、刃の先端まで閉じてしまうと、切り込み作業が中断する。
また再度刃先を開けて切り込んでも、切り込み口がずれてしまう。
これらの現象が、円滑に物をまっすぐ切れない原因であった。
【考案の概要】
【考案が解決しようとする課題】
【０００３】  従来のハサミには、次のような欠点があった。
（イ）切り口側面にハサミの刃が、ぴったりと沿って進むことができなく、切っている途中で、切り口に対して、ハサミが左右どちらかに向いてしまい、自然にまがって切り進んでしまっていた。
これは刃の余白部分が無いことで、ここを切断面が平行に沿っていけなかった。
（ロ）切り口の両側面が、指や手に引っかかって、切りにくく、そのため、まがって切れてしまう原因の一つにもなっていた。
（ハ）切り進んでいる最中に、ハサミの刃先を、閉じてしまうと、再度切り進むとき切り進む切り口から刃の位置がずれてしまうことがあった。
【課題を解決する為の手段】
【０００４】・・・・・・（図面に部分番号を書いて説明。）
（イ）ハサミの上下の刃の余白部分（１）は、刃先を閉じたとき、刃の余白が残るように広くする。
（ロ）ハサミの柄の上部（２）と下部（３）には、Ｌ字型のヒレを付け、左右に切り分かれた切り口面に沿ってハサミが、その切り口面の一直線上を切り進めるようにする。
ハサミの左側に切り込まれた紙や布等は、上方向にＬ字型のヒレに沿って送られる。
また、右側に切り分れた紙や布等は、下方向のＬ字型のヒレに沿って切り送られる。
（ハ）この作業中に、刃先が閉じないように、刃先は、一割程度開放を維持する。
そのためには、刃先開放維持具（４）を設けて、２図のような位置に刃先開放維持具を移動させて、固定ネジ（５）にて固定することにより開放を維持する。
本考案は、以上の構成からなるまっすぐ切れるＬ字型ヒレ付きハサミである。
【考案の効果】
【０５】（イ）切断面は、ハサミの刃に、ぴったりと沿って進むことがでる。
（ロ）左側の切断面は、上方向に送られて、右側の切断面は、下方向に分けられる。
これは、ハサミの上下柄に付けられているＬ字型のヒレに沿って切り進むため切断面に沿って一直線上に切り込むことができる効果が得られた。
この効果により、ハサミの刃の切り込みをスムーズに進めることができ、長い物、固めのダンボール紙でも、手に当たらずに、抵抗なく、まっすぐに切る効果が得られた。
最初に切り込んだ時に、切断面の先端部分が、指や手に引っかかって、そのために、切り込みが曲るようなことがなくなり、ハサミを持った手がスムーズに切り進めることができた。
また、左側切断面は、上部Ｌ字型ヒレに沿って切り進めるため、目で確かめながら切り進めることができる効果も得られた。
（ハ）ハサミで切り込み作業中に刃先が閉じないように、刃先を一割程度開放維持させておくための刃先開放維持具を設けるため、刃先が閉じて切断作業が中断することを防げた。
本考案は、以上のような効果が得られた。
【図面の簡単な説明】
【０００６】
【図１】本考案の側面図
【図２】本考案を使用した状態の斜視図
【考案を実施するための形態】
【０００７】（ア）余白部を広くした刃（１）は、刃を閉じた状態でも、余白を残す程度の広さを設けることにより、余白部が切断面に沿って刃が切り進むことができる。
（イ）更に、上部と下部柄の外周部分には、刃の合わせ目直線上に、上部Ｌ字型ヒレ（２）と・下部Ｌ字型ヒレ（３）を各々設ける。
これにより、物を切り込んだ時に、物の切断面が、余白部を広くした刃（１）から上部・下部のＬ字型ヒレ（２）・（３）に沿って、送られ、結果として、ハサミはまっすぐに切り進めることができる。
（ウ）ハサミで切り込み作業中に刃先が閉じないように、刃先を一割程度開放維持させておくための刃先開放維持具（４）を設けて、使用の際は、これを柄の外側から中央に移動（ハ）させて固定ネジ（５）にて固定する。
これで刃の先端は、開放状態を一割程度維持されるため、切断中の刃先（イ）は、常に切断対象物（ニ）を噛んだ状態になる。
【実施例】
【０００８】  切断面は、ハサミの刃に、ぴったりと沿って進むことができ、左側の切断面は上方向に送られて、右側の切断面は、下方向に、ハサミの上下柄に付いているＬ字型のヒレに沿って上下に分けられるため、まっすぐ切り進むことができた。
この効果により、ハサミの刃の切り込みをスムーズに進めることができ、長い物、固めのダンボール紙でも、指に当たらずに、抵抗なく、まっすぐに切ることができた。
最初に切り込んだ時に、切断面の先端部分が、指や手に引っかかって、そのために、切り込みが曲るようなことがなくなり、ハサミを持った手がスムーズに切り進めることができた。
また、切り込み作業中は、刃先を一割程度開放を維持することができるため従来のハサミのように、刃先が閉じてしまい、切り込み作業が中断することはなくなった。
更に、切り進む都度、切断面は、Ｌ字型のヒレに沿って通過するため、目でこれを確かめながらまっすぐ切り進めることができる。
【産業上の利用可能性】
【０００９】  縫製業、紙製品の加工所や製作所・工場、事務所、等で、製品の作成過程や特に長さのある製品の裁断などに使用される。
【符号の説明】
【００１０】図１
（１）余白部を広くした刃
（２）上部Ｌ字型ヒレ
（３）下部Ｌ字型ヒレ
（４）刃先開放維持具
（５）固定ネジ
図２
（イ）切断中の刃先
（ロ）左側に切り分れた切断面
（ハ）柄の中央にて固定したネジ
（ニ）切断対象物（紙・ダンボール紙・布等）
（ホ）右側に切り分れた切断面
【図１】
0003178637.tif 000003
【図２】
0003178637.tif 000004
【手続補正書】
【提出日】平成24年3月7日(2012.3.7)
【手続補正１】
【補正対象書類名】実用新案登録請求の範囲
【補正対象項目名】全文
【補正方法】変更
【補正の内容】
【実用新案登録請求の範囲】
【請求項１】
上下の刃の余白部分を広くした刃（１）のように、刃先を閉じた状態でも余白が広く残るように広い形にする刃先開放維持具及びＬ字型ヒレ付のまっすぐ切れるハサミ。
【請求項２】
ハサミの柄の上部は、上部Ｌ字型ヒレ（２）の形にする、また、ハサミの柄の下部は、上部Ｌ字型ヒレ（２）と反対向きであるが、下部Ｌ字型ヒレ（３）も上部Ｌ字型ヒレ（２）と同様の形にすると次ぎのような効果が得られた。
本考案のハサミが、紙等を切り込んだ場合、切り分れた左側の切断面（ロ）は、上部Ｌ字型ヒレ（２）に沿って、上側方向へ送られ、また、右側に切り分かれた切断面（ホ）は、下部Ｌ字型ヒレ（３）に沿って、下方向に送られることで、抵抗なくスムーズに切り込めるハサミの上下の刃の余白部分が広い形を特徴とする請求項１記載の刃先開放維持具及びＬ字型ヒレ付のまっすぐ切れるハサミ。
【請求項３】
この紙等の切断作業中は、刃先が完全に閉じないように、１割程度開放を維持するそのためには、刃先開放維持具（４）を設けて、柄の中央にてネジで固定（ハ）すると、柄と柄の間に隙間ができ、その分だけ刃先が１割程度開くことになる。
刃先開放維持具（４）の構成は、柄の周囲を金属またはプラスチック等で囲むように取り付け、柄の中央にてネジで固定（ハ）の位置に固定ネジ（５）にて固定して使用する。
使用しない場合は、刃先開放維持具（４）が図１の位置にて固定ネジ（５）にて固定すると刃先の開放維持作用は、なくなり、刃先を閉じることができて安全な状態になる。
このように紙等の切断作業中は、刃先が、１割程度開放していれば、切断作業が中断することなく、切り込む切断部分に、１割程度開放した状態の刃先が、紙等を咥え込んだまま、まっすぐに切り込むことができるハサミの上下の刃の余白部分が広い形を特徴とする請求項１記載の刃先開放維持具及びＬ字型ヒレ付のまっすぐ切れるハサミ。
【手続補正書】
【提出日】平成24年7月3日(2012.7.3)
【手続補正１】
【補正対象書類名】実用新案登録請求の範囲
【補正対象項目名】全文
【補正方法】変更
【補正の内容】
【実用新案登録請求の範囲】
【請求項１】
ハサミの上下の刃の余白部分（１）のように、刃先を閉じた状態でも余白が広く残るように広い形にして、ハサミの柄の上部は、上部Ｌ字型ヒレ（２）の形に、また、ハサミの柄の下部は、上部Ｌ字型ヒレ（２）と反対向きであるが、下部Ｌ字型ヒレ（３）も上部Ｌ字型ヒレ（２）と同様の形として、更に、紙等の切断作業中は、刃先が完全に閉じないように、１割程度開放を維持したいが、そのためには、刃先開放維持具（４）を柄の中央（ハ）にて固定ネジ（５）で固定することにより、その刃先開放維持具（４）の厚みにより、刃先が少し開放の状態を維持でき、その刃先開放維持具（４）の構成は、柄の周囲を金属またはプラスチック等で囲むように取り付け、（ハ）のような柄の位置に固定ネジ（５）にて固定して使用するハサミ。